(57)【要約】【課題】簡易な構成でキーボードユニットをキーボードカバーのベースプレート上の平面に密着固定することができるキーボードユニットの取付構造を提供すること。【解決手段】複数のキー３が配置された平板プレート１０の周縁に取付穴が形成されたタブ１１，１２の基部であってキー３の配置側にリブ２１，２２が設けられ、取付穴を介した取付ネジ３１，３２によってタブ１１，１２を係合フランジ４に取り付け、平板プレート１０の中央部分がベースプレート５側に凸となる反りを形成し、平板プレート１０を平板プレート１０より剛性が高いベースプレート５上の平面に押圧して密着固定する。【選択図】図５
2017156961.tif 000002
【特許請求の範囲】
【請求項１】
複数のキーが配置された平板プレートの周縁に取付穴が形成されたタブが設けられたキーボードユニットを、前記キーボードユニットが配設されるキーボードカバーのベースプレートと該ベースプレートの周縁上部に設けられた係合フランジとによって形成された挿入空間に挿入して前記キーボードユニットを前記ベースプレート上の平面に密着固定するキーボードの取付構造であって、
前記タブの基部であって前記キーの配置側に突起部が設けられ、前記取付穴を介した取付ネジによって前記タブを前記係合フランジに取り付け、前記平板プレートの中央部分が前記ベースプレート側に凸となる反りを形成し、前記平板プレートを前記平板プレートより剛性が高い前記ベースプレート上の平面に押圧して密着固定することを特徴とするキーボードユニットの取付構造。
【請求項２】
前記突起部は、前記係合フランジの前記挿入空間側の平面であって前記タブの基部に対応する位置に設けられることを特徴とする請求項１に記載のキーボードユニットの取付構造。
【請求項３】
前記突起部は、前記平板プレートの周縁方向に延びるリブであることを特徴とする請求項１または２に記載のキーボードユニットの取付構造。
【請求項４】
前記突起部は、前記平板プレートの中央部に向けて傾斜が高くなる傾斜部であることを特徴とする請求項１または２に記載のキーボードユニットの取付構造。
【請求項５】
前記突起部は、前記平板プレートの周縁部のうちの長辺に対応する位置に設けたことを特徴とする請求項１〜４のいずれか一つに記載のキーボードユニットの取付構造。
【請求項６】
前記突起部は、前記平板プレートの向かい合う周縁部に対応する位置に設けたことを特徴とする請求項１〜５のいずれか一つに記載のキーボードユニットの取付構造。
【発明の詳細な説明】
【技術分野】
【０００１】
本発明は、簡易な構成でキーボードユニットをキーボードカバーのベースプレート上の平面に密着固定することができるキーボードユニットの取付構造に関する。
【背景技術】
【０００２】
パーソナルコンピュータなどの電子機器に搭載されるキーボードの下面に下方に向けて突出する係止爪を複数設ける一方、キーボードを搭載する電子機器本体の上面にキーボードに設けた係止爪が係止される係止穴を複数設け、キーボードの下面に設けた係止爪が電子機器本体に設けた係止穴に係止された状態で、電子機器本体とキーボードとをネジ止めすることにより、キーボードを電子機器本体に取り付けたキーボードの取付構造が提案されている（特許文献１参照）。
【先行技術文献】
【特許文献】
【０００３】
【特許文献１】特開２００９−２９４８０９号公報
【発明の概要】
【発明が解決しようとする課題】
【０００４】
ところで、上述したキーボードユニットを、キーボードユニットが配設されるキーボードカバーのベースプレート上の平面に密着固定する場合、キーボードユニットのプレートは、プレートの中央部分がベースプレート側に凸となる反りを予め形成しておき、キーボードのプレートの周縁をネジ止めしていた。この場合、このキーボードユニットのプレートの反り形成工程が必要となる。このプレートの反り形成は反り制御が難しく、時間と労力とがかかっていた。
【０００５】
本発明は、上記に鑑みてなされたものであって、簡易な構成でキーボードユニットをキーボードカバーのベースプレート上の平面に密着固定することができるキーボードユニットの取付構造を提供することを目的とする。
【課題を解決するための手段】
【０００６】
上述した課題を解決し、目的を達成するために、本発明にかかるキーボードユニットの取付構造は、複数のキーが配置された平板プレートの周縁に取付穴が形成されたタブが設けられたキーボードユニットを、前記キーボードユニットが配設されるキーボードカバーのベースプレートと該ベースプレートの周縁上部に設けられた係合フランジとによって形成された挿入空間に挿入して前記キーボードユニットを前記ベースプレート上の平面に密着固定するキーボードの取付構造であって、前記タブの基部であって前記キーの配置側に突起部が設けられ、前記取付穴を介した取付ネジによって前記タブを前記係合フランジに取り付け、前記平板プレートの中央部分が前記ベースプレート側に凸となる反りを形成し、前記平板プレートを前記平板プレートより剛性が高い前記ベースプレート上の平面に押圧して密着固定することを特徴とする。
【０００７】
また、本発明にかかるキーボードユニットの取付構造は、上記の発明において、前記突起部は、前記係合フランジの前記挿入空間側の平面であって前記タブの基部に対応する位置に設けられることを特徴とする。
【０００８】
また、本発明にかかるキーボードユニットの取付構造は、上記の発明において、前記突起部は、前記平板プレートの周縁方向に延びるリブであることを特徴とする。
【０００９】
また、本発明にかかるキーボードユニットの取付構造は、上記の発明において、前記突起部は、前記平板プレートの中央部に向けて傾斜が高くなる傾斜部であることを特徴とする。
【００１０】
また、本発明にかかるキーボードユニットの取付構造は、上記の発明において、前記突起部は、前記平板プレートの周縁部のうちの長辺に対応する位置に設けたことを特徴とする。
【００１１】
また、本発明にかかるキーボードユニットの取付構造は、上記の発明において、前記突起部は、前記平板プレートの向かい合う周縁部に対応する位置に設けたことを特徴とする。
【発明の効果】
【００１２】
本発明によれば、キーボードユニットのプレートを平板プレートのままとし、平板プレートの周縁に取付穴が形成されたタブの基部であってキーの配置側に突起部を設け、キーボードユニットのベースプレートへの取付時に平板プレートに反りを形成するようにしているので、プレートの反り形成工程が不要となり、簡易な構成でキーボードユニットをキーボードカバーのベースプレート上の平面に密着固定することができる。
【図面の簡単な説明】
【００１３】
【図１】図１は、本発明の実施の形態であるキーボードユニットの取付構造のキーボードユニットの構成を示す平面図である。
【図２】図２は、図１に示したキーボードユニットの平板プレートの周縁部である長辺に設けられたタブの構成を示す拡大斜視図である。
【図３】図３は、図１に示したキーボードユニットのＡ−Ａ線断面を模式的に示した図である。
【図４】図４は、キーボードユニットがキーボードカバーに取り付けられた直後の平板プレートの反りを模式的に示した断面図である。
【図５】図５は、キーボードユニットがベースプレートに取り付けられた状態を模式的に示した断面図である。
【図６】図６は、本発明の実施の形態の変形例１であるキーボードユニットの取付構造を説明する模式図である。
【図７】図７は、本発明の実施の形態の変形例２であるキーボードユニットの取付構造を説明する模式図である。
【図８】図８は、本発明の実施の形態の変形例３であるキーボードユニットの取付構造を説明する模式図である。
【発明を実施するための形態】
【００１４】
以下、添付図面を参照してこの発明を実施するための形態について説明する。図１は、本発明の実施の形態であるキーボードユニット１の取付構造のキーボードユニット１の構成を示す平面図である。図２は、図１に示したキーボードユニット１の平板プレート１０の周縁部である長辺１０ｂに設けられたタブ１２の構成を示す拡大斜視図である。図３は、図１に示したキーボードユニット１のＡ−Ａ線断面を模式的に示した図である。図４は、キーボードユニット１がキーボードカバー２に取り付けられた直後の平板プレート１０の反りを模式的に示した断面図である。図５は、キーボードユニット１がベースプレート５に取り付けられた状態を模式的に示した断面図である。
【００１５】
図１及び図３に示すように、キーボードユニット１は、平板プレート１０上に複数のキー３が配置される。なお、平板プレート１０に反りは形成されていない。平板プレート１０の周縁部には、タブ１１〜１５が設けられる。タブ１１は、長辺１０ａに設けられる。タブ１２，１３は、長辺１０ａに向かい合う長辺１０ｂに設けられる。タブ１４は、短辺１０ｃに設けられる。タブ１５は、短辺１０ｃに向かい合う短辺１０ｄに設けられる。タブ１１〜１４には、キーボードユニット１をベースプレート５に取り付ける際に取付ネジを通す取付穴が形成されている。特に、タブ１１，１２には、取付穴１１ａ，１２ａが形成されている。タブ１１は、長辺１０ａに３つ設けられ、タブ１２は、長辺１０ｂに３つ設けられている。
【００１６】
図３に示すように、タブ１１には、タブ１１の基部であってキー３の配置側に突起部であるリブ２１が設けられる。また、図２及び図３に示すように、タブ１２には、タブ１２の基部であってキー３の配置側に突起部であるリブ２２が設けられる。リブ２１，２２は、平板プレート１０の周縁方向、すなわち長辺方向に延びている。また、リブ２１，２２は、それぞれ取付穴１１ａ，１２ａと長辺１０ａ，１０ｂとの間に配置される。
【００１７】
図５に示すように、キーボードカバー２は、キーボードユニット１が挿入されて取り付けられる挿入空間Ｅ１を有する。挿入空間Ｅ１は、ベースプレート５とベースプレート５の周縁上部に設けられた係合フランジ４とによって形成される。挿入空間Ｅ１の上部の開口Ｈの長辺及び短辺の幅は、平板プレート１０の長辺１０ａ，１０ｂ及び短辺１０ｃ，１０ｄと同じ幅である。挿入空間Ｅ１内の長辺及び短辺の幅は、タブ１１〜１５を含めた幅に所定マージン分、大きくした幅としている。なお、ベースプレート５の上面はフラットである。また、図５に示したキーボードカバー２は、キーボードユニット１が取り付けられる部分のみを示している。
【００１８】
（キーボードユニットの取付）
図４に示すように、図３に示したキーボードユニット１を、開口Ｈを介して挿入空間Ｅ１に挿入し、取付ネジ３１，３２を用いてタブ１１，１２を係合フランジ４に取り付けると、リブ２１，２２の存在によって、平板プレート１０の中央部分がベースプレート５側に凸となる反りを形成する。
【００１９】
したがって、図５に示すように、平板プレート１０は、平板プレート１０より剛性が高いベースプレート５上の平面を押圧するため、平板プレート１０とベースプレート５とが密着固定される。これにより、キーボードユニット１がキーボードカバー２に取り付けられた状態では、キー３のストロークが固定され、キー３の操作性が良くなる。また、本実施の形態では、平板プレート１０に予め反りを形成する必要がないため、キーボードユニット１の製造が簡易なものとなり、キーボードユニット１のキーボードカバー２への取付も容易となる。また、キーボードユニット１のキーボードカバー２への取付は、突起部であるリブを設けるのみでよいため、簡易な構造となる。
【００２０】
なお、突起部であるリブ２１，２２は、平板プレート１０の周縁部のうち、向かい合う長辺１０ａ，１０ｂに対応する位置にそれぞれ設けたが、短辺１０ｃ，１０ｄに設けてもよい。ただし反りの幅を短くした方が密着固定を確実に行うことができるため、リブ２１，２２は、長辺１０ａ，１０ｂに設けることが好ましい。なお、リブ２１，２２は、向かい合う長辺１０ａ，１０ｂの双方に設けたが、一方の長辺のみに設けてもよい。
【００２１】
（変形例１）
上述した実施の形態では、突起部としてリブ２１，２２を用いていたが、この変形例１では、図６に示すように、リブ２１，２２に替えて、平板プレート１０の中央部に向けて傾斜が高くなる傾斜部４１，４２を設けている。この変形例１でも、図５と同様に、平板プレート１０はベースプレート５側に反りが形成され、ベースプレート５に密着固定される。
【００２２】
（変形例２）
上述した実施の形態では、突起部としてのリブ２１，２２が平板プレート１０のタブ１１，１２に設けられていたが、この変形例２では、図７に示すように、リブ２１，２２に対応するリブ５１，５２を、係合フランジ４側に設けている。このリブ５１，５２は、リブ２１，２２の位置に対応する位置に設けられる。すなわち、リブ５１，５２は、タブ１１，１２の基部に対応する位置に設けられる。この変形例２でも、図５と同様に、平板プレート１０はベースプレート５側に反りが形成され、ベースプレート５に密着固定される。
【００２３】
（変形例３）
上述した実施の形態の変形例２では、突起部としてリブ５１，５２が係合フランジ４側に設けられていたが、この変形例３では、図８に示すように、変形例１と同様の傾斜部６１，６２を係合フランジ４側に設けている。この変形例３でも、図５と同様に、平板プレート１０はベースプレート５側に反りが形成され、ベースプレート５に密着固定される。
【００２４】
なお、キーボードユニットとベースプレートとの密着固定のため、キーボードユニットのキー間に分散してスクリュータブを設けて、キーボードユニットをベースプレートに取り付けるものがあるが、この取付構造では、キーボードカバーの下に配置されるマザーボードなどにも穴をあける場合があり、マザーボードの設計に制限を与えることになる。
【符号の説明】
【００２５】
１  キーボードユニット
２  キーボードカバー
３  キー
４  係合フランジ
５  ベースプレート
１０  平板プレート
１０ａ，１０ｂ  長辺
１０ｃ，１０ｄ  短辺
１１〜１５  タブ
１１ａ，１２ａ  取付穴
２１，２２，５１，５２  リブ
３１，３２  取付ネジ
４１，４２，６１，６２  傾斜部
Ｅ１  挿入空間
Ｈ  開口
【図１】
2017156961.tif 000003
【図２】
2017156961.tif 000004
【図３】
2017156961.tif 000005
【図４】
2017156961.tif 000006
【図５】
2017156961.tif 000007
【図６】
2017156961.tif 000008
【図７】
2017156961.tif 000009
【図８】
2017156961.tif 000010